(57)【要約】【課題】３１種類のミネラルを配合し、健康維持にきわめて役立つミネラル水を提供する。【解決手段】金、銀、銅、カルシウム、マグネシウム、ナトリウム、セリウム、クロム、ランタン、カリウム、モリブデン、マンガン、コバルト、アルミニウム、ルビジウム、イオウ、スカンジウム、セレン、シリコン、ストロンチウム、イットリウム、亜鉛、ジルコニウム、ゲルマニウム、ニッケル、リチウム、バリウム、バナジウム、タングステン、リン、チタンを成分に含み、赤色系の色を有する。【選択図】図１
2011000573.tif 000002
【特許請求の範囲】
【請求項１】
金、銀、銅、カルシウム、マグネシウム、ナトリウム、セリウム、クロム、ランタン、カリウム、モリブデン、マンガン、コバルト、アルミニウム、ルビジウム、イオウ、スカンジウム、セレン、シリコン、ストロンチウム、イットリウム、亜鉛、ジルコニウム、ゲルマニウム、ニッケル、リチウム、バリウム、バナジウム、タングステン、リン、チタンを成分に含み、赤色系の色を有することを、特徴とするミネラル水。
【発明の詳細な説明】
【技術分野】
【０００１】
本発明は、ミネラル水に関する。
【背景技術】
【０００２】
生物にとってミネラルは生命維持のために必要不可欠である。ミネラルは、バランス良く摂取することが大切である。そこで、ミネラルをバランス良く含んだミネラル水が種々、開発されている。
従来のミネラル水として、ミネラル成分SiO２、Al、Fe、Ca、Mg、Ｋ、Ti、Ｐ、Na及びMnを含有していると共に当該Ca成分が当該ミネラル成分合計量の90％以上を占めているミネラル水がある（例えば、特許文献１参照）。このようなミネラル水は、飲用や植物生長用に用いられる。
【先行技術文献】
【特許文献】
【０００３】
【特許文献１】特開２００８−６８２３７号公報
【発明の概要】
【発明が解決しようとする課題】
【０００４】
しかしながら、特許文献１に記載のミネラル水は、Ca成分に偏りすぎていることから、日常的に摂取するにはミネラルバランスが悪いという課題が考えられる。
【０００５】
本発明は、このような課題に着目してなされたもので、３１種類のミネラルを配合し、健康維持にきわめて役立つミネラル水を提供することを目的とする。
【課題を解決するための手段】
【０００６】
上記目的を達成するために、本発明に係るミネラル水は、金、銀、銅、カルシウム、マグネシウム、ナトリウム、セリウム、クロム、ランタン、カリウム、モリブデン、マンガン、コバルト、アルミニウム、ルビジウム、イオウ、スカンジウム、セレン、シリコン、ストロンチウム、イットリウム、亜鉛、ジルコニウム、ゲルマニウム、ニッケル、リチウム、バリウム、バナジウム、タングステン、リン、チタンを成分に含み、赤色系の色を有することを、特徴とする。
【０００７】
本発明に係るミネラル水は３１種類のミネラルを含むので、そのミネラル水により、それらの健康維持に役立つミネラルを容易に摂取することができる。
ミネラル水に含まれるミネラルは、腐食花崗岩から抽出した成分から成ることが好ましいが、精製した金属元素を含んでいてもよい。
ミネラル水は、そのまま飲用にできる濃度であっても、濃縮した濃度であってもよい。
本発明に係るミネラル水は、そのまままたは希釈して飲用にするほか、料理用水として利用することもできる。
本発明に係るミネラル水は、開口を有するボトルと前記開口を密閉する栓とを備えたボトルの内部に入れられていることが好ましい。このミネラル水入りボトルは、ミネラル水を密閉、保存し、栓を開ければ、ミネラル水を容易に摂取することができる。
【発明の効果】
【０００８】
本発明によれば、３１種類のミネラルを配合し、健康維持にきわめて役立つミネラル水を提供することができる。
【図面の簡単な説明】
【０００９】
【図１】本発明の実施の形態のミネラル水を入れたボトルの正面図である。
【発明を実施するための形態】
【００１０】
以下、図面に基づき本発明の実施の形態について説明する。
図１は、本発明の実施の形態のミネラル水を入れたボトルを示している。
図１に示すように、ミネラル水入りボトルは、ボトル１と栓２とを有している。
ボトル１は、ガラス製で細長く、上部が円筒形で細くくびれており、上端に開口を有している。しかしながら、ボトル１の材質は、ガラスに限定されるものではなく、ＰＥＴ、陶器その他であってもよい。ボトル１の上端周囲１ａにはネジ山が設けられている。栓３は、円筒形のキャップ状で内周にネジ溝が設けられている。栓３は、ボトル１の開口を塞ぎ、上端周囲１ａのネジ山に内周のネジ溝で螺合して、開口を開閉可能に密閉している。栓３の容積は、一例では２０ｍｌちょうどであるが、限定されるものではない。
【００１１】
ボトル１の内部には、ミネラル水３が入れられている。ミネラル水３は、金、銀、銅、カルシウム、マグネシウム、ナトリウム、セリウム、クロム、ランタン、カリウム、モリブデン、マンガン、コバルト、アルミニウム、ルビジウム、イオウ、スカンジウム、セレン、シリコン、ストロンチウム、イットリウム、亜鉛、ジルコニウム、ゲルマニウム、ニッケル、リチウム、バリウム、バナジウム、タングステン、リン、チタンを成分に含み、赤色系の色、より具体的にはピンク色を有している。その色は、これらのミネラルによる天然の色であり、他に有機系または無機系の着色料を添加して得られた色ではない。ミネラル水３のミネラルは、腐食花崗岩から抽出した成分に多少のミネラルを追加したものである。ボトル１には、複数の金箔４が入れられている。
【００１２】
ミネラル水３は、セレン、ゲルマニウム、モリブデン、タングステン、バリウムを５ｍｇ／ｌまたは０．５ｍｇ／ｌ未満の微量、ジルコニウムを０．６ｍｇ／ｌ、スカンジウムを１．５ｍｇ／ｌ、イットリウムを１．６ｍｇ／ｌ、他のミネラルをそれぞれ３．６ｍｇ／ｌ〜６８９００ｍｇ／ｌ含み、特に、カリウムを２０７０ｍｇ／ｌ、マグネシウムを４１６０ｍｇ／ｌ、鉄を１２６００ｍｇ／ｌ、アルミニウムを１０９００ｍｇ／ｌ、イオウを６８９００ｍｇ／ｌと多量に含んでいる。
【００１３】
ミネラル水３は、金を除く前記の３０種類のミネラルを濃縮して含む濃縮ミネラル水原液を５０倍に水で希釈し、その希釈ミネラル水に金箔を加えて製造される。金箔を入れた当初は、ミネラル水３の色は無色透明であるが、ミネラル水３は徐々に着色し、２０日程度でピンク色になる。
【００１４】
次に、作用について説明する。
ミネラル水３は３１種類のミネラルを含むので、ミネラル水３により、それらの健康維持に役立つミネラルを容易に摂取することができる。ミネラル水入りボトルは、ミネラル水３を密閉、保存し、栓を開ければ、ミネラル水３を容易に摂取することができる。
【００１５】
ミネラル水３は、水で５０〜１００倍に希釈して飲用や料理用水として用いることができる。希釈に用いる水には、浄水器を通した水が好ましい。キャップ１杯のミネラル水３を２リットルのペットボトルに入れ、水で満杯に希釈すれば、容易に１００倍に希釈することができる。
ミネラル水３は、１００倍に希釈した後、例えば体重５０ｋｇの人は１日に２〜３回に分けて５００ｍｌを飲用することが好ましい。
【００１６】
なお、ミネラル水は、前記の３１種類のミネラルのうち、金を除く３０種類のみを含んだ製品とし、栓２を開封後、金箔４をミネラル水に加えるようにしてあってもよい。この場合、ミネラル水３の色の変化を楽しむとともに、金箔４以外の着色料が含んでいないことを確認することができる。
３１種類のミネラルを毎日、摂取することにより、免疫力を高め、健康維持を図ることができる。
【符号の説明】
【００１７】
１  ボトル
１ａ  上端周囲
２  栓
３  ミネラル水
４  金箔
【図１】
2011000573.tif 000003